(57)【要約】【課題】エルボー等の屈曲した管材を用いることなく、鉛直方向に対して交差する他の下流側管材を直接連結できるドレン、及び軒樋と下流側管材の連結構造を提供する。【解決手段】軒樋２の底部２０に形成された落とし口２００に上方から挿入されて軒樋２の底部２０下面から突出する内筒体６０を備える。内筒体６の軒樋２の底部２０下面から突出した突出部分６０３の外周側に連結可能で、且つ呼び樋３に連結可能な外筒体７を備える。内筒体６は外周側に突出して軒樋２の底部２０上に配置される鍔部６１を有する。鍔部６１と外筒体７との間に軒樋２の底部２０を挟むことで軒樋２に取り付けられるドレン１である。内筒体６の突出部分６０３の突出方向が、軒樋２の底部２０に直交する方向に対して傾斜する。【選択図】図１
2015001065.tif 000002
【特許請求の範囲】
【請求項１】
軒樋の底部に形成された落とし口に上方から挿入されて前記軒樋の底部下面から突出する内筒体と、
前記内筒体の前記軒樋の底部下面から突出した突出部分の外周側に連結可能で、且つ他の下流側管材に連結可能な外筒体とを備え、
前記内筒体は外周側に突出して前記軒樋の底部上に配置される鍔部を有し、
前記鍔部と前記外筒体との間に前記軒樋の底部を挟むことで軒樋に取り付けられるドレンであって、
前記内筒体の前記突出部分の突出方向が、前記軒樋の底部に直交する方向に対して傾斜したことを特徴とするドレン。
【請求項２】
前記内筒体が、前記落とし口の内側に配置される楕円筒状部を有し、
前記楕円筒状部の軸方向に直交する断面が楕円状であり、且つ、前記楕円筒状部の前記軒樋の底部と平行な断面が真円状であることを特徴とする請求項１に記載のドレン。
【請求項３】
内筒体と外筒体を備えたドレンを具備し、
前記内筒体が外周側に突出した鍔部を有し、
前記内筒体が軒樋の底部に形成された落とし口に上方から挿入されて前記軒樋の底部下面から突出され、
前記鍔部が前記軒樋の底部上に配置され、
前記外筒体が前記内筒体において前記軒樋の底部下面から突出した突出部分の外周側に連結され、この外筒体と前記鍔部との間に前記軒樋の底部が挟まれて、前記軒樋に前記ドレンが取り付けられ、
前記外筒体に下流側管材が連結された連結構造であって、
前記内筒体の前記突出部分の突出方向が、前記軒樋の底部に直交する方向に対して傾斜したことを特徴とする軒樋と下流側管材の連結構造。
【発明の詳細な説明】
【技術分野】
【０００１】
本発明は、軒樋と下流側管材の連結に用いられるドレン、及び軒樋と下流側管材をドレンを介して連結した軒樋と下流側管材の連結構造に関する。
【背景技術】
【０００２】
特許文献１には、軒樋と呼び樋を連結するためのドレイン部材が開示されている。このドレイン部材は、上鍔とごみ除け部を有する内筒体と、下鍔を有する外筒体とで構成されている。内筒体は、軒樋の底部に形成された排水孔に上方から挿入される。外筒体は、内筒体に螺合される。これにより、外筒体の下鍔と内筒体の上鍔との間に軒樋の底部が挟み込まれて、ドレイン部材が軒樋に取り付けられる。また、外筒体にはエルボーを介して呼び樋が連結され、呼び樋には別のエルボーを介して竪樋が連結される。
【先行技術文献】
【特許文献】
【０００３】
【特許文献１】特開２０００−２９７５０４号公報
【発明の概要】
【発明が解決しようとする課題】
【０００４】
ところで、特許文献１に開示されるドレイン部材は、外筒体の軸方向を軒樋の底部に対して垂直にした状態で軒樋に取り付けられる。このため、ドレイン部材に鉛直方向に対して傾斜した呼び樋を連結するには、外筒体にエルボ−を連結し、このエルボーに呼び樋を連結する必要がある。しかし、このようにエルボーを設けた場合、シンプルで良好な外観になり難く、また、部材点数が増してコストが増したり施工に手間がかかったりすることが懸念される。
【０００５】
本発明は前記事情に鑑みてなされたものであって、エルボー等の屈曲した管材を用いることなく、鉛直方向に対して交差する他の下流側管材を直接連結できるドレン、及び連結構造を提供することを課題とする。
【課題を解決するための手段】
【０００６】
上記課題を解決するために本発明のドレンは、軒樋の底部に形成された落とし口に上方から挿入されて前記軒樋の底部下面から突出する内筒体と、前記内筒体の前記軒樋の底部下面から突出した突出部分の外周側に連結可能で、且つ他の下流側管材に連結可能な外筒体とを備え、前記内筒体は外周側に突出して前記軒樋の底部上に配置される鍔部を有し、前記鍔部と前記外筒体との間に前記軒樋の底部を挟むことで軒樋に取り付けられるドレンであって、前記内筒体の前記突出部分の突出方向が、前記軒樋の底部に直交する方向に対して傾斜したことを特徴とする。
【０００７】
また、前記内筒体が、前記落とし口の内側に配置される楕円筒状部を有し、前記楕円筒状部の軸方向に直交する断面が楕円状であり、且つ、前記楕円筒状部の前記軒樋の底部と平行な断面が真円状であることが好ましい。
【０００８】
また、本発明の軒樋と下流側管材の連結構造は、内筒体と外筒体を備えたドレンを具備し、前記内筒体が外周側に突出した鍔部を有し、前記内筒体が軒樋の底部に形成された落とし口に上方から挿入されて前記軒樋の底部下面から突出され、前記鍔部が前記軒樋の底部上に配置され、前記外筒体が前記内筒体において前記軒樋の底部下面から突出した突出部分の外周側に連結され、この外筒体と前記鍔部との間に前記軒樋の底部が挟まれて、前記軒樋に前記ドレンが取り付けられ、前記外筒体に下流側管材が連結された連結構造であって、前記内筒体の前記突出部分の突出方向が、前記軒樋の底部に直交する方向に対して傾斜したことを特徴とする。
【発明の効果】
【０００９】
本発明に係るドレン、及び軒樋と下流側管材の連結構造にあっては、ドレンを軒樋に取り付けた状態において、内筒体の突出部分の突出方向を、軒樋の底部に直交する方向に対して傾斜させることができる。このため、軒樋の底部に直交する方向に対して傾斜した呼び樋等の下流側管材を、エルボーを用いることなく、直接ドレンの外筒体に連結することができる。従って、軒樋に下流側管材を連結した連結構造をシンプルで外観の良いものにできる。また、部材点数を減らして、コストの増加を抑えたり、施工の手間を軽減することができる。
【図面の簡単な説明】
【００１０】
【図１】本発明の実施形態の軒樋と下流側管材の連結構造を断面で示した説明図である。
【図２】同上のドレン及び呼び樋の分解斜視図である。
【図３】図１のＡ部拡大図である。
【発明を実施するための形態】
【００１１】
以下、添付図面に基づいて本発明の実施形態につき説明する。本実施形態のドレン１は、図１に示されるように、軒樋２と、下流側管材である呼び樋３を連結するものである。図１では、軒樋２が、ドレン１、呼び樋３、及びエルボー４を用いて、軒樋２よりも建物側に位置する竪樋５の上端部に連結されている。
【００１２】
以下では、図１に示される施工状態における方向を基準にして各構成部材について説明する。すなわち、図１中Ｄ１に示される方向を前方、Ｄ２に示される方向を後方、Ｄ３に示される方向を上方、Ｄ４に示される方向を下方として説明する。
【００１３】
軒樋２は、底部２０、前壁部２１、及び後壁部２２を有している。前壁部２１は、底部２０の前端部から立ち上がり、上方程前方に位置するように傾斜している。後壁部２２は、底部２０の後端部から立ち上がり、底部２０に対して略垂直である。
【００１４】
軒樋２は、前壁部２１を屋外側に位置させ、後壁部２２を建物側に位置させ、底部２０を水平にした状態で、建物に取り付けられる。軒樋２の建物への取付けは、例えば図示しない支持具を建物に対して軒樋２の長手方向に間隔を介して複数取付け、これら複数の支持具で軒樋２を支持することで行われる。
【００１５】
図２に示されるように、ドレン１は、内筒体６、スペーサー８、及び外筒体７で構成されている。内筒体６は、筒状の内筒部６０と、内筒部６０から外周側に突出した鍔部６１で構成されている。
【００１６】
内筒部６０は、楕円筒状部６００、接続部６０１、及び真円筒状部６０２で構成されている。楕円筒状部６００、接続部６０１、及び真円筒状部６０２は、この順序で下流側（軸方向における下端側）に向かって順に形成されている。
【００１７】
楕円筒状部６００は、その軸方向に直交する断面形状が左右に長い楕円状である。楕円筒状部６００の上端面は、楕円筒状部６００の軸方向に対して後側に傾くように傾斜している。楕円筒状部６００のその傾斜した上端面と平行な断面形状（水平断面形状）は、軸方向に亘って真円状である。
【００１８】
鍔部６１は、楕円筒状部６００の上端部から外周側に向かって突出している。鍔部６１は、楕円筒状部６００の上端部の周囲に亘って形成されており、平面視円環状である。
【００１９】
鍔部６１は楕円筒状部６００の上端面と平行であり、楕円筒状部６００の軸方向に対して傾斜している。この傾斜角度は、図１に示される施工状態において、鍔部６１が軒樋２の底部２０と平行になるよう設定されている。鍔部６１の上面は、楕円筒状部６００の上端面に連続している。
【００２０】
鍔部６１から後斜め下方に向かって突出した内筒部６０は、軒樋２の底部２０に形成された上下に貫通する落とし口２００に上側から挿入される。落とし口２００は、例えばホルソーを用いて水平断面真円状に形成される。
【００２１】
図１に示される施工状態においては、鍔部６１より下側に突出した楕円筒状部６００の突出基端部が落とし口２００の内側に配置される。また、内筒部６０の大部分（上端部を除く部分）が、軒樋２の底部２０下面より突出した突出部分６０３となり、この突出部分６０３の突出方向は、軒樋２の底部２０に直交する方向に対して傾斜している。また、鍔部６１は軒樋２の底部２０上面に沿って配置されている。
【００２２】
図２に示されるように楕円筒状部６００に接続部６０１を介して一体に接続された真円筒状部６０２は、その軸方向に直交する断面形状が軸方向に亘って真円状である。筒状の接続部６０１の軸方向に直交する断面形状は、楕円筒状部６００に接続された楕円状の上端部から、真円筒状部６０２に接続された真円状の下端部にかけて徐々に変化している。楕円筒状部６００の中心軸、接続部６０１の中心軸、及び真円筒状部６０２の中心軸は、平行であり、また、平面視で略一致する箇所を通過する。真円筒状部６０２の外周面には、外筒体７に螺合される雄ねじ部６０４が形成されている。
【００２３】
スペーサー８は、切断筒状に形成されており、その軸方向と直交する断面形状は真円状である。スペーサー８の上端面は、スペーサー８の軸方向に対して傾斜している。この傾斜角度は、図１に示される施工状態において、スペーサー８の上端面が軒樋２の底部２０と平行になるように設定されている。スペーサー８は、その傾斜した上端面を軒樋２の底部２０における落とし口２００の周囲の下面に当接した状態で、軒樋２の下側に配置される。
【００２４】
スペーサー８の下端の内周縁部には、スペーサー８の軸方向下側に向かって突出した嵌込筒部８０が形成されている。図３に示されるように、嵌込筒部８０の外周面は、スペーサー８の嵌込筒部８０よりも軸方向上側に位置する部分の外周面部８１よりも小径であり、外周面部８１とは段差面８２を介して接続されている。
【００２５】
図２に示されるように、外筒体７は、上流側筒部７０と、上流側筒部７０の下流側（軸方向下側）に配置されて上流側筒部７０と一体に接続される下流側筒部７１で構成されている。上流側筒部７０は、軸方向に直交する断面形状が軸方向に亘って真円形である。
【００２６】
外筒体７の上流側筒部７０の内周面には、雌ねじ部７００が形成されている。外筒体７は、図１に示されるように、雌ねじ部７００を雄ねじ部６０４を螺合することで、内筒体６の真円筒状部６０２の外側に連結される。
【００２７】
また、図１に示されるように、スペーサー８の嵌込筒部８０は、外筒体７の上流側筒部７０の上端部に圧入される。この圧入は、上流側筒部７０の上端面がスペーサー８の段差面８２に当接するまで行われる。これにより、スペーサー８は、外筒体７の上端部に固定される。このように外筒体７の上端部に固定されたスペーサー８の外周面は、外筒体７の上流側筒部７０の外周面と略面一になる。
【００２８】
また、スペーサー８を外筒体７の上端部に連結し、且つ、外筒体７の雌ねじ部７００に対して内筒体６の雄ねじ部６０４を十分な深さまでねじ込んだとき、スペーサー８の上端面の全体が軒樋２の底部２０下面に当接し、外筒体７はスペーサー８を介して軒樋２の底部２０を上側に押圧する。また、このとき、内筒体６の鍔部６１は、軒樋２の底部２０を下側に押圧する。このため、内筒体６の鍔部６１と外筒体７の上端部に設けられたスペーサー８とで軒樋２の底部２０が上下に挟み込まれる。これにより、ドレン１が軒樋２に対して固定される。なお、ドレン１の施工の際には、外筒体７を内筒体６に連結して、スペーサー８を軒樋２の底部２０と外筒体７で挟み込むことで、スペーサー８を外筒体７に連結してもよい。また、スペーサー８を予め外筒体７に連結しておき、この外筒体７を内筒体６に連結することでスペーサー８を軒樋２の底部２０と外筒体７の間に挟んでもよい。
【００２９】
図３に示されるように、スペーサー８の嵌込筒部８０の外周面は、スペーサー８の軸方向下側に行く程外径が小さくなるテーパー面８００となっている。一方、外筒体７の上流側筒部７０において嵌込筒部８０が嵌め込まれる上端部の内周面は、上流側筒部７０の軸方向上側に行く程内径が大きくなるテーパー面７０１となっている。このため、嵌込筒部８０を上流側筒部７０の上端部に圧入する作業を容易にできる。なお、嵌込筒部８０の外周面及び上流側筒部７０の上端部の内周面には、テーパーを設けなくてもよい。また、嵌込筒部８０の外周面にスペーサー８の軸方向下側に行く程外径が大きくなるテーパー面を形成し、上流側筒部７０の上端部の内周面を上流側筒部７０の軸方向上側に行く程内径が小さくテーパー面としてもよい。この場合、スペーサー８を外筒体７から抜け難くすることができる。
【００３０】
図１に示されるように、外筒体７の下流側筒部７１は、内筒部６０と略同径の円筒状に形成されており、上流側筒部７０よりも小径である。
【００３１】
円筒状の呼び樋３の内径は、外筒体７の下流側筒部７１の外径と略同じである。呼び樋３は、図１に示されるようにその上流側端部を下流側筒部７１の外周側に嵌め込むことで、外筒体７に連結される。このとき、呼び樋３の外周面は、外筒体７の上流側筒部７０の外周面と略面一となる。また、呼び樋３の軸方向は、下流側筒部７１の軸方向と平行になる。すなわち、呼び樋３の軸方向は、軒樋２の底部２０下面から突出した内筒体６の突出部分６０３と略平行になる。
【００３２】
エルボー４は、図１に示されるようにその上流側部分が呼び樋３の下流側端部の外側に連結される。このとき、エルボー４の下流側部分の軸方向は鉛直方向と平行になる。
【００３３】
竪樋５は、図１に示されるようにその上流側端部がエルボー４の下流側部分の外側に連結される。このとき、竪樋５の軸方向は鉛直方向と平行になる。
【００３４】
ドレン１は、例えば以下のようにして軒樋２に取り付けられる。まず、作業者は、軒樋２の底部２０において、ドレン１が連結される箇所にホルソー等を用いて落とし口２００を形成する。次に作業者は、内筒体６の内筒部６０を落とし口２００に上方から挿通し、内筒体６の鍔部６１を軒樋２の底部２０上に載置する。次いで作業者は、内筒体６の周囲にスペーサー８を配置した状態で、あるいは、スペーサー８を外筒体７に連結した状態で、外筒体７の雌ねじ部７００を内筒体６の雄ねじ部６０４に螺合して、外筒体７を内筒体６に連結する。これにより、軒樋２の底部２０が外筒体７によってスペーサー８を介して上側に押圧され、内筒体６の鍔部６１と外筒体７に設けられたスペーサー８とで軒樋２の底部２０が挟持され、ドレン１が軒樋２に取り付けられる。
【００３５】
このように軒樋２に取り付けられたドレン１の外筒体７には、呼び樋３及びエルボー４を介して竪樋５が連結される。これにより、軒樋２を流れる雨水は、内筒体６、外筒体７、呼び樋３、及びエルボー４を順に介して、竪樋５に排出されるようになる。
【００３６】
以上説明したように、本実施形態のドレン１は、軒樋２の底部２０に形成された落とし口２００に上方から挿入されて軒樋２の底部２０下面から突出する内筒体６を備えている。ドレン１は、内筒体６の軒樋２の底部２０下面から突出した突出部分６０３の外周側に連結可能で、且つ他の下流側管材（呼び樋３）に連結可能な外筒体７を備えている。内筒体６は外周側に突出して軒樋２の底部２０上に配置される鍔部６１を有している。鍔部６１と外筒体７との間に軒樋２の底部２０を挟むことで軒樋２に取り付けられるドレン１である。そして、内筒体６の突出部分６０３の突出方向が、軒樋２の底部２０に直交する方向に対して傾斜したことを特徴としている。
【００３７】
このドレン１は、内筒体６を軒樋２の落とし口２００に上方から挿入し、内筒体６に外筒体７を連結し、内筒体６の鍔部６１と外筒体７との間に軒樋２の底部２０を挟み込むことで、軒樋２に取り付けることができる。そして、このようにドレン１を軒樋２に取り付けた状態において、内筒体６の突出部分６０３の突出方向を、軒樋２の底部２０に直交する方向に対して傾斜させることができる。このため、軒樋２の底部２０に直交する方向に対して傾斜した下流側管材を、エルボーを用いることなく、直接ドレン１の外筒体７に連結することができる。従って、軒樋２にドレン１を用いて下流側管材を連結する構造をシンプルで外観の良いものにできる。また、部材点数を減らして、コストの増加を抑えたり、施工の手間を軽減することができる。
【００３８】
また、ドレン１は、本実施形態のように、内筒体６が、落とし口２００の内側に配置される楕円筒状部６００を有し、楕円筒状部６００の軸方向に直交する断面が楕円状であり、且つ、楕円筒状部６００の軒樋２の底部２０と平行な断面が真円状であることが好ましい。
【００３９】
このように、楕円筒状部６００の軒樋２の底部２０と平行な断面を真円状にしたことで、軒樋２の落とし口２００を真円状にした場合に、楕円筒状部６００の外周面を落とし口２００の周縁部に沿わせることができ、内筒体６の十分な流路断面積を確保できる。また、例えば軒樋２の底部２０に非真円状の落とし口２００を形成するには手間を要するが、落とし口２００を真円状にできるので、ホルソー等を用いて落とし口２００を簡単に形成できる。
【００４０】
また、本実施形態の軒樋２と下流側管材の連結構造は、内筒体６と外筒体７を備えたドレン１を具備している。内筒体６は外周側に突出した鍔部６１を有する。内筒体６が軒樋２の底部２０に形成された落とし口２００に上方から挿入されて軒樋２の底部２０下面から突出される。鍔部６１が軒樋２の底部２０上に配置される。外筒体７が内筒体６において軒樋２の底部２０下面から突出した突出部分６０３の外周側に連結される。外筒体７と鍔部６１との間に軒樋２の底部２０が挟まれて、軒樋２にドレン１が取り付けられる。外筒体７に下流側管材（呼び樋３）が連結される。そして、内筒体６の突出部分６０３の突出方向が、軒樋２の底部２０に直交する方向に対して傾斜したことを特徴としている。
【００４１】
この連結構造にあっては、内筒体６の突出部分６０３の突出方向を、軒樋２の底部２０に直交する方向に対して傾斜させることができる。このため、軒樋２の底部２０に直交する方向に対して傾斜した下流側管材を、エルボーを用いることなく、直接ドレン１の外筒体７に連結することができる。従って、シンプルで外観の良い連結構造とすることができる。また、部材点数を減らして、コストの増加を抑えたり、施工の手間を軽減することができる。
【００４２】
なお、本実施形態では、ドレンの外筒体７に連結される下流側管材を呼び樋３としたが、エルボー等のその他の下流側管材を連結しても構わない。また、本実施形態では、外筒体７に外筒体７と別体のスペーサー８を設けたが、スペーサー８を省略し、外筒体７によって軒樋２の底部２０を直接押圧しても構わない。また、内筒体６の軸方向に直交する断面形状を真円状にしてもよい。また、この他、本発明の主旨を逸脱しない範囲で適宜設計変更してもよい。
【符号の説明】
【００４３】
１  ドレン
２  軒樋
３  呼び樋（下流側管材）
６  内筒体
７  外筒体
２０  軒樋の底部
６１  鍔部
２００  落とし口
６００  楕円筒状部
６０３  内筒体の突出部分
【図１】
2015001065.tif 000003
【図２】
2015001065.tif 000004
【図３】
2015001065.tif 000005